(57)【特許請求の範囲】
【請求項１】
被写体を撮像して該被写体の電子的な画像データを生成する撮像部と、前記撮像部が生成した前記画像データに対応する画像を表示可能な表示部とを備え、前記画像に特殊効果を施すことが可能な撮像装置であって、
各撮影シーンに適した撮影の条件が予め設定された複数の撮影モードの中からいずれかの撮影モードを設定する撮影モード設定部と、
前記撮影モード設定部が設定した前記撮影モードで前記撮像部が生成した前記画像に対して特殊効果に関する情報の入力を受け付ける入力部と、
前記入力部が受け付けた情報に応じた特殊効果を前記画像に施して特殊効果画像を生成する特殊効果画像生成部と、
前記特殊効果画像生成部が前記画像に施す特殊効果と前記撮影モードとの組み合わせに応じた推奨度を与える推奨度情報を記憶する推奨度情報記憶部と、
前記撮影モード設定部が設定した撮影モードで前記撮像部が生成した前記画像を前記表示部に表示させるとともに、前記推奨度情報記憶部が記憶する前記推奨度情報を参照して、前記特殊効果画像生成部が前記画像に施すべき特殊効果に関する情報を示すアイコンによって、前記撮影モード設定部が設定した前記撮影モードとの組み合わせに応じた前記推奨度の高い順に前記表示部に表示させる表示制御部と、
を備え、
前記入力部は、前記表示部の表示画面上に設けられ、外部から接触する物体の位置に応じた信号の入力を受け付けるタッチパネルを有し、
前記表示制御部は、前記撮影モード設定部が設定した前記撮影モードと特殊効果との組み合わせに応じて前記アイコンの色および／または大きさを変えて前記表示部に表示させ、
前記特殊効果画像生成部は、前記タッチパネルが前記アイコンの表示領域上に位置する接触領域で入力を受け付けた前記アイコンに対応する特殊効果を、前記画像に施して前記特殊効果画像を生成することを特徴とする撮像装置。
【請求項２】
前記表示制御部は、前記撮影モード設定部が設定した前記撮影モードに対して組み合わせることが可能な特殊効果に関する情報のみを前記表示部に表示させることを特徴とする請求項１に記載の撮像装置。
【請求項３】
前記特殊効果画像生成部が生成した前記特殊効果画像の前記特殊効果と前記撮影モード設定部が設定した前記撮影モードとの組み合わせの使用履歴情報を記憶する使用履歴情報記憶部と、
前記特殊効果画像生成部が前記特殊効果画像を生成するごとに前記使用履歴情報を更新する使用履歴更新部と、
前記使用履歴情報記憶部が記憶する前記使用履歴情報に基づいて、前記推奨度情報に含まれる前記特殊効果と前記撮影モードとの組み合わせの中で使用回数が所定回数を超える組み合わせの前記推奨度を変更する推奨度変更部と、
をさらに備えたことを特徴とする請求項１または２に記載の撮像装置。
【請求項４】
前記推奨度変更部が変更した前記推奨度を初期状態に戻す初期化部をさらに備え、
前記表示制御部は、前記初期化部に関する情報を前記表示部に表示させ、
前記初期化部は、前記入力部が受け付けた情報に応じて前記推奨度を戻すことを特徴とする請求項３に記載の撮像装置。
【請求項５】
前記入力部は、前記表示部に操作メニューに関する情報の表示を指示する指示信号の入力を受け付けるメニュースイッチを有し、
前記表示制御部は、前記メニュースイッチから前記指示信号が入力された場合、前記撮影モード設定部が設定した前記撮影モードに関わらず、前記特殊効果に関する情報を一覧表示することを特徴とする請求項１〜４のいずれか一つに記載の撮像装置。
【請求項６】
前記撮影モード設定部は、前記撮像部が生成した前記画像データの特性に基づいて、当該撮像装置の前記撮影モードを設定することを特徴とする請求項３に記載の撮像装置。
【請求項７】
外部と相互方向に通信可能な通信部をさらに備え、
前記推奨度変更部は、前記通信部を介して受信した情報に基づいて前記推奨度情報を更新および／または変更することを特徴とする請求項３に記載の撮像装置。
【請求項８】
被写体を撮像して該被写体の電子的な画像データを生成する撮像部と、該画像データに対応する画像を表示可能な表示部と、前記表示部の表示画面上に設けられ、外部から接触する物体の位置に応じた信号の入力を受け付けるタッチパネルと、を備え、前記画像に特殊効果を施すことが可能な撮像装置が実行する撮像方法であって、
各撮影シーンに適した撮影の条件が予め設定された複数の撮影モードの中からいずれかの撮影モードを設定する撮影モード設定ステップと、
前記撮影モード設定ステップにおいて設定した前記撮影モードで前記撮像部が生成した前記画像に対して特殊効果に関する情報の入力を受け付ける入力ステップと、
前記入力ステップにおいて受け付けた情報に応じた特殊効果を前記画像に施して特殊効果画像を生成する特殊効果画像生成ステップと、
前記撮影モード設定ステップにおいて設定した撮影モードで生成された前記画像を表示させるとともに、前記特殊効果画像生成ステップにおいて前記画像に対して施す特殊効果と前記撮影モードとの組み合わせに応じた推奨度を与える推奨度情報を記憶する推奨度情報記憶部から該推奨度情報を読み出して参照し、前記特殊効果画像生成ステップにおいて前記画像に施すべき特殊効果に関する情報を示すアイコンによって、前記撮影モード設定ステップが設定した前記撮影モードとの組み合わせに応じた前記推奨度の高い順に表示させる表示ステップと、
を実行させ、
前記表示ステップは、前記撮影モード設定ステップにおいて設定した前記撮影モードと特殊効果との組み合わせに応じて前記アイコンの色および／または大きさを変えて前記表示部に表示させ、
前記特殊効果画像生成ステップは、前記タッチパネルが前記アイコンの表示領域上に位置する接触領域で入力を受け付けた前記アイコンに対応する特殊効果を、前記画像に施して前記特殊効果画像を生成することを特徴とする撮像方法。
【請求項９】
被写体を撮像して該被写体の電子的な画像データを生成する撮像部と、該画像データに対応する画像を表示可能な表示部と、前記表示部の表示画面上に設けられ、外部から接触する物体の位置に応じた信号の入力を受け付けるタッチパネルと、を備え、前記画像に特殊効果を施すことが可能な撮像装置に、
各撮影シーンに適した撮影の条件が予め設定された複数の撮影モードの中からいずれかの撮影モードを設定する撮影モード設定ステップと、
前記撮影モード設定ステップにおいて設定した前記撮影モードで前記撮像部が生成した前記画像に対して特殊効果に関する情報の入力を受け付ける入力ステップと、
前記入力ステップにおいて受け付けた情報に応じた特殊効果を前記画像に施して特殊効果画像を生成する特殊効果画像生成ステップと、
前記撮影モード設定ステップにおいて設定した撮影モードで生成された前記画像を表示させるとともに、前記特殊効果画像生成ステップにおいて前記画像に対して施す特殊効果と前記撮影モードとの組み合わせに応じた推奨度を与える推奨度情報を記憶する推奨度情報記憶部から該推奨度情報を読み出して参照し、前記特殊効果画像生成ステップにおいて前記画像に施すべき特殊効果に関する情報を示すアイコンによって、前記撮影モード設定ステップが設定した前記撮影モードとの組み合わせに応じた前記推奨度の高い順に表示させる表示ステップと、
を実行させ、
前記表示ステップは、前記撮影モード設定ステップにおいて設定した前記撮影モードと特殊効果との組み合わせに応じて前記アイコンの色および／または大きさを変えて前記表示部に表示させ、
前記特殊効果画像生成ステップは、前記タッチパネルが前記アイコンの表示領域上に位置する接触領域で入力を受け付けた前記アイコンに対応する特殊効果を、前記画像に施して前記特殊効果画像を生成することを特徴とする撮像プログラム。
【発明の詳細な説明】
【技術分野】
【０００１】
本発明は、被写体を撮像して電子的な画像データを生成する撮像装置および撮像プログラムに関する。
【背景技術】
【０００２】
近年、デジタルカメラやデジタルビデオ等の撮像装置において、被写体を撮像した画像データに特殊効果を施すことによって、消費者の様々な要望に応える技術が知られている。たとえば、被写体を撮像した画像データにワイプやセピア等の特殊効果を施した画像データを記録することができる技術が知られている（特許文献１参照）。この技術では、ユーザが特殊効果を選択するエフェクトスイッチを操作している際に選択された特殊効果を施した画像を、表示モニタが表示している画像上の一部に表示させることにより、ユーザに所望の特殊効果を容易に選択させることができるようになっている。
【０００３】
また、同一の被写体に対して複数回撮像し、撮像した複数の画像データに対応する画像を用いて画像内に含まれる被写体画像と背景画像とを分離し、分離した背景画像にぼかしを施した後、再度被写体画像に合成して合成画像を生成する撮像装置が知られている（特許文献２）。
【０００４】
さらに、ユーザが複数の特殊効果から所望の特殊効果を選択することができる特殊効果選択メニューの中から一つの特殊効果を選択した場合、ユーザが選択した特殊効果のパラメータの値を少しずつ変化させた複数のサンプル画像を表示モニタに一覧表示させる撮像装置が知られている（特許文献３）。
【０００５】
また、様々な撮影状況に対応するため、撮影シーンに適したシャッタースピードや絞り値等を予め設定した複数の撮影モードの中からユーザが選択して撮影することができる撮像装置が知られている。
【先行技術文献】
【特許文献】
【０００６】
【特許文献１】特開２００５−３４７８８６号公報
【特許文献２】特許第４３２１２８７号公報
【特許文献３】特開２００９−５４０８５号公報
【発明の概要】
【発明が解決しようとする課題】
【０００７】
ところで、従来の撮像装置では、撮影モードと特殊効果とを組み合わせて撮影を行っていたが、撮影モードと特殊効果との組み合わせがすべてよいわけではなく、中には効果が相殺されてしまうような組み合わせもあった。このため、撮影モードと特殊効果との組み合わせの選択の指針となる情報を提示することができる技術が求められていた。
【０００８】
本発明は、上記に鑑みてなされたものであって、撮影モードと特殊効果とを組み合わせて画像データを生成する場合に、撮影モードと特殊効果との組み合わせの選択の指針となる情報をユーザに提示することができる撮像装置および撮像プログラムを提供することを目的とする。
【課題を解決するための手段】
【０００９】
上述した課題を解決し、目的を達成するために、本発明にかかる撮像装置は、被写体を撮像して該被写体の電子的な画像データを生成する撮像部と、前記撮像部が生成した前記画像データに対応する画像を表示可能な表示部とを備え、前記画像に特殊効果を施すことが可能な撮像装置であって、各撮影シーンに適した撮影の条件が予め設定された複数の撮影モードの中からいずれかの撮影モードを設定する撮影モード設定部と、前記撮影モード設定部が設定した前記撮影モードで前記撮像部が生成した前記画像に対して特殊効果に関する情報の入力を受け付ける入力部と、前記入力部が受け付けた情報に応じた特殊効果を前記画像に施して特殊効果画像を生成する特殊効果画像生成部と、前記特殊効果画像生成部が前記画像に施す特殊効果と前記撮影モードとの組み合わせに応じた推奨度を与える推奨度情報テーブルを記憶する推奨度情報記憶部と、前記撮影モード設定部が設定した撮影モードで前記撮像部が生成した前記画像を前記表示部に表示させるとともに、前記推奨度情報記憶部が記憶する前記推奨度情報を参照して、前記特殊効果画像生成部が前記画像に施すべき特殊効果に関する情報を、前記撮影モード設定部が設定した前記撮影モードとの組み合わせに応じた前記推奨度の高い順に前記表示部に表示させる表示制御部と、を備えたことを特徴とする。
【００１０】
また、本発明にかかる撮像装置は、上記発明において、前記表示制御部は、前記撮影モード設定部が設定した前記撮影モードに対して組み合わせることが可能な特殊効果に関する情報のみを前記表示部に表示させることを特徴とする。
【００１１】
また、本発明にかかる撮像装置は、上記発明において、前記特殊効果画像生成部が生成した前記特殊効果画像の前記特殊効果と前記撮影モード設定部が設定した前記撮影モードとの組み合わせの使用履歴情報を記憶する使用履歴情報記憶部と、前記特殊効果画像生成部が前記特殊効果画像を生成するごとに前記使用履歴情報を更新する使用履歴更新部と、前記使用履歴情報記憶部が記憶する前記使用履歴情報に基づいて、前記推奨度情報に含まれる前記特殊効果と前記撮影モードとの組み合わせの中で使用回数が所定回数を超える組み合わせの前記推奨度を変更する推奨度変更部と、をさらに備えたことを特徴とする。
【００１２】
また、本発明にかかる撮像装置は、上記発明において、前記推奨度変更部が変更した前記推奨度を初期状態に戻す初期化部をさらに備え、前記表示制御部は、前記初期化に関する情報を前記表示部に表示させ、前記初期化部は、前記入力部が受け付けた情報に応じて前記推奨度を戻すことを特徴とする。
【００１３】
また、本発明にかかる撮像装置は、上記発明において、前記入力部は、前記表示部に操作メニューに関する情報の表示を指示する指示信号の入力を受け付けるメニュースイッチを有し、前記表示制御部は、前記メニュースイッチから前記指示信号が入力された場合、前記撮影モード設定部が設定した前記撮影モードに関わらず、前記特殊効果に関する情報を一覧表示することを特徴とする。
【００１４】
また、本発明にかかる撮像装置は、上記発明において、前記入力部は、前記表示部の表示画面上に設けられ、外部から接触する物体の位置に応じた信号の入力を受け付けるタッチパネルを有し、前記表示制御部は、前記特殊効果に関する情報をアイコンによって前記表示部に表示させ、前記特殊効果画像生成部は、前記タッチパネルが前記アイコンの表示領域上に位置する接触領域で入力を受け付けた前記アイコンに対応する特殊効果を、前記画像に施して前記特殊効果画像を生成することを特徴とする。
【００１５】
また、本発明にかかる撮像装置は、上記発明において、前記表示制御部は、前記モード設定部が設定した前記撮影モードと特殊効果との組み合わせに応じて前記アイコンの色および／または大きさを変えて前記表示部に表示させることを特徴とする。
【００１６】
また、本発明にかかる撮像装置は、上記発明において、前記撮影モード設定部は、前記撮像部が生成した前記画像データの特性に基づいて、当該撮像装置の前記撮影モードを設定することを特徴とする。
【００１７】
また、本発明にかかる撮像装置は、上記発明において、外部と相互方向に通信可能な通信部をさらに備え、前記推奨度変更部は、前記通信部を介して受信した情報に基づいて前記推奨度情報テーブルを更新および／または変更することを特徴とする。
【００１８】
また、本発明にかかる撮像プログラムは、被写体を撮像して該被写体の電子的な画像データを生成し、該画像データに対応する画像を表示可能であるとともに、前記画像に特殊効果を施すことが可能な撮像装置に、各撮影シーンに適した撮影の条件が予め設定された複数の撮影モードの中からいずれかの撮影モードを設定する撮影モード設定ステップと、
前記撮影モード設定ステップが設定した前記撮影モードで前記撮像部が生成した前記画像に対して特殊効果に関する情報の入力を受け付ける入力ステップと、前記入力ステップが受け付けた情報に応じた特殊効果を前記画像に施して特殊効果画像を生成する特殊効果画像生成ステップと、前記撮影モード設定ステップで設定した撮影モードで生成された前記画像を表示させるとともに、前記特殊効果画像生成ステップが前記画像に対して施す特殊効果と前記撮影モードとの組み合わせに応じた推奨度を与える推奨度情報を記憶する推奨度情報記憶部から該推奨度情報を読み出して参照し、前記特殊効果画像生成部が前記画像に施すべき特殊効果に関する情報を、前記撮影モード設定ステップが設定した前記撮影モードとの組み合わせに応じた前記推奨度の高い順に表示させる表示ステップと、を実行させることを特徴とする。
【発明の効果】
【００１９】
本発明によれば、表示制御部が、推奨度情報記憶部によって記憶された推奨度情報を参照して、特殊効果画像生成部が撮影部によって生成された画像に施すべき特殊効果に関する情報を、撮影モード設定部によって設定された撮影モードとの組み合わせに応じた推奨度の高い順に表示部に表示させる。これにより、撮像装置は、設定された撮影モードで生成された画像に対して最適な特殊効果の組み合わせの指針となる情報をユーザに提示することができるという効果を奏する。
【図面の簡単な説明】
【００２０】
【図１】図１は、本発明の一実施の形態にかかる撮像装置の構成を示すブロック図である。
【図２】図２は、本発明の一実施の形態にかかる撮像装置の被写体に面する側の構成を示す図である。
【図３】図３は、本発明の一実施の形態にかかる撮像装置のユーザに面する側の構成を示す図である。
【図４】図４は、本発明の一実施の形態にかかる撮像装置が行う処理の概要を示すフローチャートである。
【図５】図５は、撮像装置が撮影モードで被写体を撮影する際の状況および表示部が表示する画像の一例を示す図である。
【図６】図６は、撮像装置の表示部が表示する操作メニューの一例を示す図である。
【図７】図７は、撮像装置の表示部が表示する撮影モードメニューの一例を示す図である。
【図８】図８は、撮像装置の表示部が表示する画像の一例を示す図である。
【図９】図９は、撮像装置の表示部が表示する画像の一例を示す図である。
【図１０】図１０は、撮像装置の推奨度記憶情報部が記憶する推奨度情報テーブルの一例を示す図である。
【図１１】図１１は、撮像装置の表示部が表示する画像の一例を示す図である。
【図１２】図１２は、撮像装置の表示部が表示する画像の一例を示す図である。
【図１３】図１３は、図４に示す撮影処理の概要を示すフローチャートである。
【図１４】図１４は、図４に示す再生表示処理の概要を示すフローチャートである。
【図１５】図１５は、撮像装置の表示部が表示する特殊効果メニューの一例を示す図である。
【図１６】図１６は、撮像装置の表示部が表示する画像の一例を示す図である。
【図１７】図１７は、撮像装置の表示部が表示する画像の一例を示す図である。
【図１８】図１８は、撮像装置の表示部が表示する画像の一例を示す図である。
【図１９】図１９は、撮像装置の表示部が表示する画像の一例を示す図である。
【図２０】図２０は、ユーザによってタッチパネルがタッチされた領域付近の拡大表示を説明する図である。
【発明を実施するための形態】
【００２１】
以下に、図面を参照して、本発明を実施するための形態（以下、「実施の形態」という）について説明する。なお、以下に説明する実施の形態によって本発明が限定されるものではない。また、図面の記載において、同一の部分には同一の符号を付している。
【００２２】
図１は、本発明の一実施の形態にかかる撮像装置の構成を示すブロック図である。図２は、本発明の一実施の形態にかかる撮像装置の被写体に面する側（前面側）の構成を示す図である。図３は、本発明の一実施の形態にかかる撮像装置のユーザに面する側（背面側）の構成を示す図である。
【００２３】
図１〜図３に示すように、撮像装置１は、被写体を撮像し、撮像した被写体の電子的な画像データを生成する撮像部２と、撮像装置１の加速度を検出する姿勢検出部３と、撮像部２が撮像する視野領域に光を照射する発光部４と、撮影日時の判定機能やタイマー機能を有する時計５と、撮像装置１の各種情報の入力を受け付ける操作入力部６と、撮像部２が生成した画像データに対応する画像を表示する表示部７と、外部からの接触位置に応じた信号の入力を受け付けるタッチパネル８と、撮像部２によって生成された画像データを含む各種情報を記憶する記憶部９と、インターネットを介して外部処理装置と相互方向に送受信を行う通信部１０と、撮像装置１の動作を制御する制御部１１と、を備える。
【００２４】
撮像部２は、レンズ部２ａと、レンズ駆動機構２ｂと、絞り２ｃと、絞り駆動機構２ｄと、シャッタ２ｅと、シャッタ駆動機構２ｆと、撮像素子２ｇと、信号処理部２ｈとを有する。
【００２５】
レンズ部２ａは、フォーカスレンズやズームレンズ等を用いて構成され、所定の視野領域からの光を集光する。レンズ駆動機構２ｂは、ＤＣモータ等を用いて構成され、レンズ部２ａのフォーカスレンズやズームレンズ等を光軸Ｌ１上で移動させることにより、レンズ部２ａのピント位置や焦点距離等の変更を行う。
【００２６】
絞り２ｃは、レンズ部２ａが集光した光の入射量を制限することにより露出の調整を行う。絞り駆動機構２ｄは、ステッピングモータ等を用いて構成され、絞り２ｃを駆動する。
【００２７】
シャッタ２ｅは、撮像素子２ｇの状態を露光状態または遮光状態に設定する。シャッタ駆動機構２ｆは、ステッピングモータ等を用いて構成され、レリーズ信号に応じてシャッタ２ｅを駆動する。
【００２８】
撮像素子２ｇは、レンズ部２ａが集光した光を受光して電気信号（アナログ信号）に変換するＣＣＤ（Charge  Coupled  Device）やＣＭＯＳ（Complementary  Metal  Oxide  Semiconductor）等を用いて構成され、変換した電気信号を信号処理部２ｈに出力する。
【００２９】
信号処理部２ｈは、撮像素子２ｇから出力される電気信号に増幅等の信号処理を施した後、Ａ／Ｄ変換を行うことによってデジタルの画像データに変換して制御部１１に出力する。
【００３０】
姿勢検出部３は、加速度センサを用いて構成される。姿勢検出部３は、撮像装置１の加速度を検出することにより、撮像装置１の姿勢状態および／または動きを検出する。具体的には、姿勢検出部３は、水平面を基準としたときの撮像装置１の姿勢を検出する。
【００３１】
発光部４は、キセノンランプやＬＥＤ（Light  Emitting  Diode）等を用いて構成される。発光部４は、撮像部２の視野領域へ向けて補助光であるストロボ光を照射する。
【００３２】
時計５は、撮像装置１の動作の基準となる時間信号を生成する。これにより、制御部１１は、撮像素子２ｇから画像データを取得する取得時間や撮像素子２ｇの露光時間等を設定することができる。
【００３３】
操作入力部６は、撮像装置１の電源状態をオン状態またはオフ状態に切換える電源スイッチ６ａと、撮影の指示を与えるレリーズ信号を入力するレリーズスイッチ６ｂと、撮像装置１の各種撮影のモードを切換えるモード切換スイッチ６ｃと、撮像装置１の各種設定を切換える操作スイッチ６ｄと、撮像装置１の各種撮影モードおよび特殊効果に関する情報を表示部７に表示させるメニュースイッチ６ｅと、撮像部２のズーム操作を行うズームスイッチ６ｆとを有する。また、操作スイッチ６ｄは、表示部７が画像上に表示するアイコン、たとえば撮影モードおよび特殊効果に関するアイコンを選択または決定の指示を与える指示信号を制御部１１に出力する。
【００３４】
表示部７は、液晶または有機ＥＬ（Electro  Luminescence）等からなる表示パネルを用いて実現される。表示部７は、撮像部２が生成する画像データに対応する画像を表示する。表示部７は、撮像装置１の操作情報および撮影に関する情報を適宜表示する。
【００３５】
タッチパネル８は、表示部７の表示画面上に重ねて設けられる（図３を参照）。タッチパネル８は、ユーザが表示部７で表示される情報に基づいて接触（タッチ）した位置を検出し、この接触位置に応じた操作信号の入力を受け付ける。一般に、タッチパネルとしては、抵抗膜方式、静電容量方式、光学式等がある。本実施の形態では、いずれの方式のタッチパネルであっても適用可能である。なお、本実施の形態では、タッチパネル８が入力部として機能する。
【００３６】
記憶部９は、撮像装置１の内部に固定的に設けられるフラッシュメモリやＲＡＭ（Random  Access  Memory）等の半導体メモリを用いて実現される。記憶部９は、撮像部２が撮影した画像データを記憶する画像データ記憶部９ａと、撮像装置１が実行する各種プログラムおよび本発明の一実施の形態にかかる撮像プログラムを記憶するプログラム記憶部９ｂと、特殊効果（アートフィルター）を画像に施す際に特殊効果と撮影モードとの組み合わせに応じた推奨度を与える推奨度情報テーブルを記憶する推奨度情報記憶部９ｃと、特殊効果と撮影モードとの組み合わせの使用履歴を示す使用履歴情報を記憶する使用履歴情報記憶部９ｄとを有する。なお、記憶部９に対し、外部から装着されるメモリカード等の記憶媒体に対して情報を記憶する一方、記憶媒体が記憶する情報を読み出す記録媒体インターフェースとしての機能を具備させてもよい。
【００３７】
通信部１０は、通信インターフェースとしての機能を有し、ネットワーク（図示せず）を介してサーバ（図示せず）やパーソナルコンピュータ等の外部処理装置と相互方向に送受信を行う。通信部１０は、外部処理装置との間で送受信を行うことにより、撮像装置１の各種プログラムデータや推奨度情報テーブルに関するデータを取得する。なお、通信部１０は、有線または無線ＬＡＮ（Local  Area  Network）を介してネットワークに接続される。
【００３８】
制御部１１は、ＣＰＵ（Central  Processing  Unit）等によって実現される。制御部１１は、操作入力部６からの操作信号等に応じて記憶部９のプログラム記憶部９ｂからプログラムを読み出して実行し、撮像装置１を構成する各部に対する指示やデータの転送等を行って撮像装置１の動作を統括的に制御する。制御部１１は、画像処理部１１ａと、撮影モード設定部１１ｂと、特殊効果画像生成部１１ｃと、使用履歴更新部１１ｄと、推奨度変更部１１ｅと、初期化部１１ｆと、表示制御部１１ｇとを有する。
【００３９】
画像処理部１１ａは、信号処理部２ｈから出力された画像データに対して各種の画像処理を施して記憶部９に出力する。具体的には、画像処理部１１ａは、信号処理部２ｈから出力された画像データに対してエッジ強調、色補正およびγ補正等の処理を施す。
【００４０】
撮影モード設定部１１ｂは、各撮影シーンに適した撮影条件が予め設定された複数の撮影モードの中からいずれかの撮影モードを撮像装置１に設定する。具体的には、撮影モード設定部１１ｂは、モード切換スイッチ６ｃまたはメニュースイッチ６ｅ等から入力される操作信号、あるいは撮像部２が生成する画像データの特性に基づいて撮像装置１の撮影モードを設定する。ここで、撮影条件とは、絞り値、シャッタ速度、ＩＳＯ感度、ホワイトバランスおよび彩度等のパラメータ情報である。また、画像データの特性とは、画像データに含まれるコントラスト、彩度および主要被写体が画像内に占める占有面積等である。
【００４１】
特殊効果画像生成部１１ｃは、タッチパネル８が入力を受け付けた情報に応じた特殊効果を、撮像部２が生成した画像データに対応する画像に特殊効果を施して特殊効果画像を生成する。具体的には、特殊効果画像生成部１１ｃは、撮像部２が生成する画像データに対して、撮像部２のレンズ部２ａの前面に各種の光学フィルター、たとえば色変換フィルターやコントラスト調整フィルター等を用いた場合に得られる特殊効果、または特定用途の撮影レンズ、たとえば魚眼レンズやアオリ機構付き撮影レンズ等を用いた場合に得られる特殊効果と同様の効果を施した特殊効果画像を生成する。なお、特殊効果画像生成部１１ｃは、撮像部２が生成する画像データに対して効果が異なる２以上の特殊効果を施した特殊効果画像を生成してもよい、さらに、特殊効果画像生成部１１ｃは、撮像部２が連続的に生成する画像データに対して特殊効果を順次施して特殊効果画像を連続的に生成してもよい。
【００４２】
使用履歴更新部１１ｄは、特殊効果画像生成部１１ｃが特殊効果画像を生成するごとに、使用履歴情報記憶部９ｄが記憶する使用履歴情報を更新する。
【００４３】
推奨度変更部１１ｅは、使用履歴情報記憶部９ｄが記憶する使用履歴情報に基づいて、推奨度情報記憶部９ｃが記憶する推奨度情報テーブルに含まれる特殊効果と撮影モードとの組み合わせの中で使用回数が所定回数を超える組み合わせの推奨度を変更する。
【００４４】
初期化部１１ｆは、推奨度変更部１１ｅが変更した推奨度情報テーブルの推奨度を初期状態に戻す。具体的には、初期化部１１ｆは、メニュースイッチ６ｅからの操作信号に応じて、メーカが撮像装置１の集荷時に設定した推奨度情報テーブルの初期状態に戻す。
【００４５】
表示制御部１１ｇは、表示部７の表示を制御する。表示制御部１１ｇは、撮影モード設定部１１ｂが設定した撮影モードで撮像部２が生成した画像データに対応する画像を表示部７に表示させるとともに、推奨度情報記憶部９ｃが記憶する推奨度情報テーブルを参照して、特殊効果画像生成部１１ｃが画像に施すべき特殊効果に関する情報を、撮影モードとの組み合わせに応じた推奨度の高い順に表示部７に表示させる。表示制御部１１ｇは、特殊効果に関する情報をアイコンによって表示部７に表示させる。具体的には、表示制御部１１ｇは、特殊効果に対応する特殊効果アイコンを、推奨度情報テーブルを参照して、撮影モードとの組み合わせに応じた推奨度の高い順に表示部７に表示させる。
【００４６】
以上の構成を有する撮像装置１が行う処理について説明する。図４は、撮像装置１が行う処理の概要を示すフローチャートである。なお、以下においては静止画撮影を例に説明するが、動画撮影にも適用することができる。
【００４７】
図４において、まず、制御部１１は、撮像装置１の電源がオンになっているか否かを判断する（ステップＳ１０１）。撮像装置１の電源がオンになっている場合（ステップＳ１０１：Ｙｅｓ）、撮像装置１はステップＳ１０２に移行する。一方、撮像装置１の電源がオンになっていない場合（ステップＳ１０１：Ｎｏ）、撮像装置１は本処理を終了する。
【００４８】
続いて、制御部１１は、撮像装置１が撮影モードに設定されているか否かを判断する（ステップＳ１０２）。撮像装置１が撮影モードに設定されている場合（ステップＳ１０２：Ｙｅｓ）、撮像装置１は後述するステップＳ１０３に移行する。一方、撮像装置１が撮影モードに設定されていない場合（ステップＳ１０２：Ｎｏ）、撮像装置１は後述するステップＳ１２３に移行する。
【００４９】
ステップＳ１０２において、撮像装置１が撮影モードに設定されている場合（ステップＳ１０２：Ｙｅｓ）について説明する。この場合、表示制御部１１ｇは、撮像部２が一定の微小な時間間隔で連続的に生成する画像データに対応する画像のスルー画像（ライブビュー画像）を表示部７に表示させる（ステップＳ１０３）。
【００５０】
図５は、撮像装置１が撮影モードで被写体を撮影する際の状況および表示部７が表示する画像の一例を示す図である。図５において、表示部７が時系列に沿って順次表示するスルー画像のうち代表的な一枚の画像Ｗｎ（ｎ＝自然数）を示す。図５に示すように、撮影者は、たとえば表示部７が表示する画像Ｗｎのようなスルー画像を見ながら被写体Ｏ１を撮影する際の構図を決定する。
【００５１】
ステップＳ１０４において、制御部１１は、レリーズスイッチ６ｂから撮影を指示するレリーズ信号が入力されたか否かを判断する。撮影を指示するレリーズ信号が入力されていない場合（ステップＳ１０４：Ｎｏ）、制御部１１は、ユーザがメニュースイッチ６ｅを操作することにより、メニュースイッチ６ｅから操作メニューの表示を指示する指示信号が入力されたか否かを判断する（ステップＳ１０５）。メニュースイッチ６ｅから操作メニューの表示を指示する指示信号が入力されていない場合（ステップＳ１０５：Ｎｏ）、撮像装置１はステップＳ１０１に戻る。一方、メニュースイッチ６ｅから操作メニューの表示を指示する指示信号が入力された場合（ステップＳ１０５：Ｙｅｓ）、撮像装置１はステップＳ１０６に移行する。
【００５２】
続いて、表示制御部１１ｇは、操作メニューを表示部７が表示する画像Ｗｎ上に表示させる（ステップＳ１０６）。具体的には、図６に示すように、表示制御部１１ｇは、撮影モードメニューアイコンＱ１、特殊効果メニューアイコンＱ２、ストロボメニューアイコンＱ３および終了アイコンＱ４を操作メニューとして画像Ｗｎ上に表示させる。
【００５３】
ここで、図６に示した表示制御部１１ｇが表示部７に表示させる各種アイコンについて説明する。撮影モードメニューアイコンＱ１は、各撮影シーンそれぞれに適した撮影条件が予め設定された複数の撮影モードに関する情報を表示部７に表示させる指示信号が入力されるアイコンである。特殊効果メニューアイコンＱ２は、撮像部２が生成する画像データに施すことが可能な複数の特殊効果に関する情報を表示部７に表示させる指示信号が入力されるアイコンである。ストロボメニューアイコンＱ３は、ストロボ（フラッシュ）のストロボ動作条件の詳細パラメータを表示部７に表示させる指示信号が入力されるアイコンである。ここで、ストロボ動作条件の詳細パラメータとしては、自動発光、発光禁止、赤目発光および強制発光等のパラメータが表示される。終了アイコンＱ４は、操作メニューの表示を終了させる指示信号が入力されるアイコンである。
【００５４】
表示制御部１１ｇが操作メニューを表示部７が表示する画像Ｗｎ上に表示させた後、制御部１１は、撮影モードメニューアイコンＱ１が選択されたか否かを判断する（ステップＳ１０７）。具体的には、図６に示すように、制御部１１は、ユーザが表示部７の画像Ｗｎ上に表示される撮影モードメニューアイコンＱ１をタッチすることにより、タッチパネル８が入力を受け付けた信号によって撮影モードメニューアイコンＱ１が選択されたか否かを判断する。撮影モードメニューアイコンＱ１が選択された場合（ステップＳ１０７：Ｙｅｓ）、撮像装置１は後述するステップＳ１０８に移行する。一方、撮影モードメニューアイコンＱ１が選択されていない場合（ステップＳ１０７：Ｎｏ）、撮像装置１は後述するステップＳ１１４に移行する。
【００５５】
ステップＳ１０７において、撮影モードメニューアイコンＱ１が選択された後、表示制御部１１ｇは、撮影モードの一覧を表示部７が表示する画像Ｗｎ上に表示させる（ステップＳ１０８）。具体的には、図７に示すように、表示制御部１１ｇは、人物撮影モードアイコンＱ１１、スポーツ撮影モードアイコンＱ１２、風景撮影モードアイコンＱ１３、夜景撮影モードアイコンＱ１４、マクロ撮影モードアイコンＱ１５、夜景＆人物撮影モードアイコンＱ１６および自動設定撮影モードアイコンＱ１７を表示部７が表示する画像Ｗｎ上に表示させる。
【００５６】
ここで、図７に示した各撮影モードそれぞれについて説明する。人物撮影モードとは、人物撮影に適した撮影条件が設定された撮影モードである。スポーツ撮影モードとは、移動する被写体の撮影に適した撮影条件が設定された撮影モードである。風景撮影モードとは、風景撮影に適した撮影条件が設定された撮影モードである。夜景撮影モードとは、夜景撮影に適した撮影条件が設定された撮影モードである。マクロ撮影モードとは、マクロ（接写）撮影に適した撮影条件が設定された撮影モードである。夜景＆人物撮影モードとは、夜景で人物を撮影する際に適した撮影条件が設定された撮影モードである。自動設定撮影モードとは、撮像部２が生成する画像データに基づいて、撮影シーンを自動で判別し、判別した撮影シーンに適した撮影条件を自動的に設定する撮影モードである。これに対して、人物撮影モード、スポーツ撮影モード、風景撮影モード、夜景撮影モード、マクロ撮影モードおよび夜景＆人物撮影モードは、ユーザが撮影シーンを自ら判断して設定する手動設定による撮影モードである。
【００５７】
図４に戻り、ステップＳ１０９において、制御部１１は、手動設定による撮影モードが選択されたか否かを判断する。具体的には、制御部１１は、人物撮影モードアイコンＱ１１、スポーツ撮影モードアイコンＱ１２、風景撮影モードアイコンＱ１３、夜景撮影モードアイコンＱ１４、マクロ撮影モードアイコンＱ１５および夜景＆人物撮影モードアイコンＱ１６が選択されたか否かを判断する。手動設定による撮影モードアイコンが選択された場合（ステップＳ１０９：Ｙｅｓ）、撮影モード設定部１１ｂは、選択された撮影モードアイコンに対応する撮影モードを撮像装置１に設定する（ステップＳ１１０）。
【００５８】
続いて、表示制御部１１ｇは、撮影モード設定部１１ｂが設定した撮影モードに対応する撮影モードアイコンを表示部７が表示する画像Ｗｎ上に表示させ（ステップＳ１１１）、撮像装置１はステップＳ１０１に戻る。具体的には、図８に示すように、表示制御部１１ｇは、人物撮影モードに対応する人物アイコンＱ２１を表示部７が表示する画像Ｗｎ上に表示させる。
【００５９】
ステップＳ１０９において、手動設定による撮影モードが選択されていない場合（ステップＳ１０９：Ｎｏ）について説明する。この場合、制御部１１は、撮影シーンを自動で判別する自動設定撮影モードアイコンＱ１７が選択されたか否かを判断する（ステップＳ１１２）。自動設定撮影モードアイコンＱ１７が選択された場合（ステップＳ１１２：Ｙｅｓ）、撮像装置１はステップＳ１１０に移行する。一方、自動設定撮影モードアイコンＱ１７が選択されていない場合（ステップＳ１１２：Ｎｏ）、制御部１１は、撮影モードの一覧を表示してから所定時間、たとえば３０秒経過したか否かを判断する（ステップＳ１１３）。撮影モードの一覧を表示してから所定時間経過していない場合（ステップＳ１１３：Ｎｏ）、撮像装置１はステップＳ１０９に戻る。一方、撮影モードの一覧を表示してから所定時間経過した場合（ステップＳ１１３：Ｙｅｓ）、撮像装置１はステップＳ１０１に戻る。
【００６０】
ステップＳ１０７において、撮影モードメニューアイコンＱ１が選択されていない場合（ステップＳ１０７：Ｎｏ）について説明する。この場合、制御部１１は、特殊効果メニューアイコンＱ２が選択されたか否かを判断する（ステップＳ１１４）。特殊効果メニューアイコンＱ２が選択されていない場合（ステップＳ１１４：Ｎｏ）、撮像装置１は後述するステップＳ１２１に移行する。一方、特殊効果メニューアイコンＱ２が選択された場合（ステップＳ１１４：Ｙｅｓ）、撮像装置１は後述するステップＳ１１５に移行する。
【００６１】
ステップＳ１１５において、表示制御部１１ｇは、推奨度情報記憶部９ｃが記憶する推奨度情報テーブルを参照して、表示部７が表示する画像に施すべき特殊効果に関する情報を、撮影モード設定部１１ｂが設定した撮影モードとの組み合わせに応じた推奨度の高い順に表示部７に表示させる。具体的には、図９に示すように、表示制御部１１ｇは、ファンタジックフォーカスアイコンＱ３１とラフモノクロアイコンＱ３２とを表示部７が表示する画像Ｗｎ上に表示させる。
【００６２】
ここで、図１０を参照して、表示制御部１１ｇが表示部７に表示させる特殊効果アイコンの表示方法について説明する。図１０は、推奨度情報記憶部９ｃが記憶する推奨度情報テーブルの一例を示す図である。
【００６３】
図１０に示すように、推奨度情報テーブルＴ１には、特殊効果画像生成部１１ｃが画像データに施すことが可能な特殊効果と撮影モードとの組み合わせに応じた推奨度（０〜２）が記載されている。具体的には、撮影モードが「人物撮影モード」の場合、特殊効果において「ファンタジックフォーカス」、「ラフモノクロ」、「デイドリーム」、「ライトトーン」、「ＨＤＲ」、「スケッチ」および「ドラマチックトーン」の組み合わせの推奨度として「２」が記載されている。さらに、「トイフォト」の組み合わせの推奨度として「１」が記載され、「ポップアート」の組み合わせの推奨度として「０」が記載されている。
【００６４】
ここで、図１０に示した各特殊効果および撮影モードと特殊効果との組み合わせの推奨度について説明する。
【００６５】
まず、図１０に示した各特殊効果それぞれについて説明する。ポップアートとは、撮影画像をカラフルで鮮やかな元気な色の作風に仕上げる効果である。ファンタジックフォーカスとは、撮影画像をソフトフォーカス特有の幻想的な作風に仕上げる効果である。ラフモノクロームとは、撮影画像をモノクロ写真ならではの力強さや荒々しさを強調した作風に仕上げる効果である。トイフォトとは、撮影画像をトイカメラで撮影したような周辺が減光された作風に仕上げる効果である。デイドリームとは、撮影画像を青く柔らかな光に満ちた旅行の作風に仕上げる効果である。ＨＤＲとは、撮影画像を現実の風景が持つ広いダイナミックレンジで作風を仕上げる効果である。スケッチとは、撮影画像を線画で描写して輪郭を強調した作風に仕上げる効果である。ドラマチックトーンとは、撮像画像を局所的なコントラスト変化からつくり出される現実ではありえないような明暗によって実際の空間をフィクションのような作風に仕上げる効果である。
【００６６】
つぎに、撮影モードと特殊効果との組み合わせの推奨度について説明する。ポップアートは、彩度を非常に高くして撮影するため、人物の撮影には不向きである。さらに、ポップアートは、色を持った部分を多く必要とするため、夜景の撮影にはやや不向きである。このため、人物撮影モードでは、推奨度を「０」とし、夜景撮影モードおよび夜景＆人物撮影モードでは、推奨度を「１」とする。
【００６７】
ファンタジックフォーカスは、激しい動きとファンタジックとはイメージが相反し効果が弱くなるので、動きのある人物の撮影にはやや不向きである。このため、スポーツ撮影モードでは、推奨度を「１」とする。
【００６８】
ラフモノクロームは、モノクロで撮影するため、夜景の撮影にはやや不向きである。このため、夜景撮影モードおよび夜景＆人物撮影モードでは、推奨度を「１」とする。
【００６９】
トイフォトは、周辺部を減光させるため、夜景のように空が暗いと減光しているかどうか認識することが難しくなるので、夜景の撮影には不向きである。さらに、トイカメラは、風景を想定しているため、人物や動きのある人物の撮影にはやや不向きである。このため、夜景撮影モードおよび夜景＆人物撮影モードでは、推奨度を「０」とし、人物撮影モードおよびスポーツ撮影モードでは、推奨度を「１」とする。
【００７０】
デイドリームは、画素を黒浮きさせるため、夜景らしさが失われる可能性が高くなるので、夜景の撮影には不向きである。このため、夜景撮影モードでは、推奨度を「０」とし、夜景＆人物撮影モードでは、推奨度を「１」とする。
【００７１】
ライトトーンは、画像の明暗を柔らかく仕上げるため、夜景の撮影にはやや不向きである。このため、夜景撮影モードおよび夜景＆人物撮影モードでは、推奨度を「１」とする。
【００７２】
ＨＤＲは、複数枚の画像を重ね合わせるため、手ブレ防止が必要になるので、動きのある被写体や近接した被写体の撮影には不向きである。このため、スポーツ撮影モードでは、推奨度を「０」とし、マクロ撮影では、推奨度を「１」とする。
【００７３】
スケッチは、線画で描写して輪郭を強調するため、夜景の撮影には不向きである。さらに、スケッチは、空や雪等を含む風景では平坦になるため、風景の撮影にはやや不向きである。このため、夜景撮影モードでは、推奨度を「０」として、風景撮影モードおよび夜景＆人物撮影モードでは、推奨度を「１」とする。
【００７４】
ドラマチックトーンは、濃淡を強調するため、夜景の撮影にはやや不向きである。このため、夜景撮影モードおよび夜景＆人物撮影モードでは、推奨度を「１」とする。
【００７５】
このように、推奨度情報テーブルＴ１の推奨度には、特殊効果と撮影モードとの組み合わせの相性が良いほど数値が段階的に高く設定されている。さらに、推奨度情報テーブルＴ１の推奨度には、特殊効果と撮影モードとの不向きな組み合わせに「０」を設定している。これにより、表示制御部１１ｇは、特殊効果に関する情報を特殊効果アイコンとして表示部７に表示させる場合、推奨度情報記憶部９ｃが記憶する推奨度情報テーブルＴ１を参照して、撮影モード設定部１１ｂが設定した撮影モードとの組み合わせの推奨度が高い順に表示させる。たとえば、表示制御部１１ｇは、図９に示すように、表示部７によって現在表示される画像Ｗｎ上に人物撮影モードを示す人物アイコンＱ２１を表示している場合、特殊効果アイコンとしてファンタジックフォーカスアイコンＱ３１およびラフモノクロアイコンＱ３２を表示部７に表示させる。
【００７６】
さらに、表示制御部１１ｇは、撮影モード設定部１１ｂが設定した撮影モードに対して組み合わせることが可能な特殊効果に関する情報のみ表示部７に表示させる。たとえば、表示制御部１１ｇは、撮影モード設定部１１ｂが人物撮影モードを設定した場合、人物撮影モードに対して組み合わせえることが可能なファンタジックフォーカス、ラフモノクローム、トイフォト、デイドリーム、ライトトーン、ＨＤＲ、スケッチおよびドラマチックトーンに関する特殊効果アイコンのみを表示部７に表示させる。この結果、撮像装置１は、設定された撮影モードで撮像部２が生成した画像に最適な特殊効果の組み合わせの指針となる情報をユーザに提示することができる。なお、図１０に示す数値は、あくまでも例示にすぎずこれに限定されるものではなく、たとえば操作スイッチ６ｄ等で推奨度の数値を変更することも可能である。また、推奨度は、特殊効果と撮影モードとの組み合わせの相性が良いほど数値を段階的に低く設定してもよい。
【００７７】
図４に戻り、ステップＳ１１６において、制御部１１は、特殊効果アイコンが選択されたか否かを判断する。具体的には、図９に示すように、制御部１１は、ユーザが表示部７の画面上に表示されるファンタジックフォーカスアイコンＱ３１またはラフモノクロアイコンＱ３２をタッチしたか否かを判断する。特殊効果アイコンが選択された場合（ステップＳ１１６：Ｙｅｓ）、特殊効果画像生成部１１ｃは、表示部７が現在表示している画像に対し、ユーザがタッチした特殊効果アイコンに応じた特殊効果、たとえばファンタジックフォーカスを施した特殊効果画像を生成する（ステップＳ１１７）。
【００７８】
続いて、表示制御部１１ｇは、特殊効果画像生成部１１ｃが生成した特殊効果画像を表示部７に表示させ（ステップＳ１１８）、撮像装置１はステップＳ１０１に戻る。具体的には、図１１に示すように、表示制御部１１ｇは、特殊効果画像生成部１１ｃが画像に特殊効果、たとえばファンタジックフォーカスを施した特殊効果画像Ｗｍ（ｍ＝自然数）を表示部７に表示させる。これにより、表示部７が表示するスルー画像は、特殊効果が施された画像になり、ユーザは撮影モードと特殊効果を確認しながら撮影を行うことができる。なお、図１１では、ファンタジックフォーカスの特殊効果を表現するため、点線で表現しているがあくまでも例示にすぎない。
【００７９】
ステップＳ１１６において、ユーザによって特殊効果アイコンが選択されていない場合（ステップＳ１１６：Ｎｏ）について説明する。この場合、制御部１１は、特殊効果アイコンの切換操作が行われたか否かを判断する（ステップＳ１１９）。具体的には、図９に示すように、制御部１１は、ユーザが表示部７によって現在表示される特殊効果アイコンから次の推奨度が高い特殊効果アイコンに切換えを指示する指示信号の入力を受け付ける切換アイコンＱ３３または切換アイコンＱ３４をタッチしたか否かを判断する。所定時間、たとえば３０秒内にユーザによって特殊効果アイコンの切換操作が行われていない場合（ステップＳ１１９：Ｎｏ）、撮像装置１はステップＳ１０１に戻る。一方、ユーザによって特殊効果アイコンの切換操作が行われた場合（ステップＳ１１９：Ｙｅｓ）、撮像装置１はステップＳ１２０に移行する。
【００８０】
続いて、表示制御部１１ｇは、推奨度情報テーブルＴ１を参照して、次に推奨度が高い特殊効果アイコンを表示部７に表示させ（ステップＳ１２０）、撮像装置１はステップＳ１１６に戻る。具体的には、図１２に示すように、表示制御部１１ｇは、ファンタジックフォーカスアイコンＱ３１およびラフモノクロアイコンＱ３２からデイドリームアイコンＱ４１およびライトトーンアイコンＱ４２を表示部７に表示させる（図１２（ａ）→図１２（ｂ））。これにより、ユーザは、所望の特殊効果を適宜選択することができる。
【００８１】
ステップＳ１１４において、撮影モードメニューアイコンＱ１および特殊効果メニューアイコンＱ２が選択されていない場合（ステップＳ１１４：Ｎｏ）について説明する。この場合、制御部１１は、終了アイコンＱ４が選択されたか否かを判断する（ステップＳ１２１）。終了アイコンＱ４が選択されていない場合（ステップＳ１２１：Ｎｏ）、撮像装置１はステップＳ１０６に戻る。一方、終了アイコンＱ４が選択された場合（ステップＳ１２１：Ｙｅｓ）、撮像装置１はステップＳ１０１に戻る。
【００８２】
ステップＳ１０４において、レリーズスイッチ６ｂから撮影を指示するレリーズ信号が入力された場合（ステップＳ１０４：Ｙｅｓ）について説明する。この場合、撮影装置１は、被写体を撮影する撮影処理を実行し（ステップＳ１２２）、撮像装置１はステップＳ１０１に戻る。
【００８３】
ステップＳ１０２において、撮像装置１が撮影モードでない場合（ステップＳ１０２：Ｎｏ）について説明する。この場合、撮影装置１は、撮影した画像データを再生する再生表示を実行し（ステップＳ１２３）、撮像装置１はステップＳ１０１に戻る。
【００８４】
つぎに、図４に示したステップＳ１２２の撮影処理について説明する。図１３は、撮影処理の概要を示すフローチャートである。
【００８５】
図１３に示すように、撮像装置１は、被写体に対して撮影を行う（ステップＳ２０１）。なお、この撮影には、撮影モード設定部１１ｂが設定した撮影モードで撮像部２が生成した画像データに対応する画像に対して、特殊効果画像生成部１１ｃが特殊効果を施して生成した特殊効果画像も含まれる。
【００８６】
続いて、制御部１１は、撮影した画像データの画像ファイルを生成して画像データ記憶部９ａに記憶させる（ステップＳ２０２）。この画像ファイルには、静止画撮影の場合、少なくとも画像データ、画像データに施した特殊効果の有無情報、画像データに施した特殊効果の種類情報、撮影モード情報および日時情報が含まれる。また、動画撮影の場合、少なくとも画像データ、画像データに施した特殊効果の有無情報、特殊効果の種類情報、特殊効果の使用回数情報、撮影モード情報および日時情報が含まれる。
【００８７】
その後、表示制御部１１ｇは、撮影した画像データに対応する画像を所定時間、たとえば３０秒間だけ表示部７にレックビュー表示させる（ステップＳ２０３）。
【００８８】
表示部７による撮影した画像のレックビュー表示後、制御部１１は、レックビュー表示した画像が特殊効果画像であるか否かを判断する（ステップＳ２０４）。具体的には、制御部１１は、レックビュー表示した画像の画像ファイルに含まれる情報に基づいて、レックビュー表示した画像に特殊効果が施されているか否かを判断する。レックビュー表示した画像に特殊効果画像が施されていない場合（ステップＳ２０４：Ｎｏ）、撮像装置１は図４に示したメインルーチンに戻る。一方、レックビュー表示した画像に特殊効果画像が施されている場合（ステップＳ２０４：Ｙｅｓ）、撮像装置１はステップＳ２０５に移行する。
【００８９】
続いて、使用履歴更新部１１ｄは、使用履歴情報記憶部９ｄが記憶する使用履歴情報に対して、レックビュー表示した画像に施された特殊効果と撮影モードとの組み合わせの使用履歴を更新する（ステップＳ２０５）。
【００９０】
その後、推奨度変更部１１ｅは、使用履歴情報記憶部９ｄが記憶する使用履歴情報に基づいて、推奨度情報記憶部９ｃが記憶する推奨度情報テーブルＴ１に含まれる特殊効果と撮影モードとの組み合わせの中で使用回数が所定回数を超えた組み合わせの推奨度を変更し（ステップＳ２０６）、撮像装置１は図４に示したメインルーチンに戻る。具体的には、推奨度変更部１１ｅは、推奨度情報記憶部９ｃが記憶する推奨度情報テーブルＴ１に含まれる特殊効果と撮影モードとの組み合わせの中で使用回数が所定回数、たとえば１００回を超えた組み合わせ、たとえば「トイフォト」と「人物撮影モード」との組み合わせの推奨度を「１」から「２」に変更する（図１０を参照）。これにより、撮像装置１は、ユーザによる使用状況を加味した特殊効果と撮影モードとの組み合わせの指針となる情報をユーザに提示することができる。
【００９１】
つぎに、図４に示した再生表示処理について説明する。図１４は、図４に示した再生表示処理の概要を示すフローチャートである。
【００９２】
図１４に示したように、まず、表示制御部１１ｇは、画像データ記憶部９ａに記憶された複数の画像をまとめて表示した画像選択画面を表示部７に表示させる（ステップＳ３０１）。
【００９３】
続いて、制御部１１は、ユーザがタッチパネル８をタッチすることによって表示部７が表示する画像選択画面の中から画像が選択されたか否かを判断する（ステップＳ３０２）。所定時間、たとえば３秒経過後に、ユーザによって画像選択画面の中から画像が選択されていない場合（ステップＳ３０２：Ｎｏ）、撮像装置１は後述するステップＳ３０６に移行する。一方、ユーザによって画像選択画面の中から画像が選択された場合（ステップＳ３０２：Ｙｅｓ）、表示制御部１１ｇは、ユーザによって選択された画像を表示部７に全画面表示させ（ステップＳ３０３）、撮像装置１はステップＳ３０４に移行する。
【００９４】
ステップＳ３０４において、制御部１１は、ユーザが操作スイッチ６ｄを操作することにより、操作スイッチ６ｄから表示部７が表示する画像の切換えを指示する指示信号が入力されたか否かを判断する。画像の切換えを指示する指示信号が入力された場合（ステップＳ３０４：Ｙｅｓ）、表示制御部１１ｇは、表示部７が現在表示している画像の切換えを行い（ステップＳ３０５）、撮像装置１はステップＳ３０３に戻る。一方、画像の切換を指示する指示信号が入力されていない場合（ステップＳ３０４：Ｎｏ）、制御部１１は、画像再生の終了操作が行われたか否かを判断する（ステップＳ３０６）。具体的には、制御部１１は、ユーザによってモード切換スイッチ６ｃが操作されることにより、撮像装置１が再生モードから撮影モードに切換えられたか否かを判断する。画像再生の終了操作が行われていない場合（ステップＳ３０６：Ｎｏ）、撮像装置１はステップＳ３０１に戻る。一方、画像再生の終了操作が行われた場合（ステップＳ３０６：Ｙｅｓ）、撮像装置１は図４に示したメインルーチンに戻る。
【００９５】
以上説明した本発明の一実施の形態では、表示制御部１１ｇが、撮影モード設定部１１ｂによって設定された撮影モードで生成された画像データを表示部７に表示させるとともに、推奨度情報記憶部９ｃが記憶する推奨度情報テーブルＴ１を参照して、特殊効果画像生成部１１ｃが撮像部２によって生成された画像データに施すべき特殊効果に関する情報を、撮影モード設定部１１ｂが設定した撮影モードとの組み合わせに応じた推奨度の高い順に表示部７に表示させる。これにより、撮像装置１は、設定された撮影モードで生成された画像データに対して特殊効果の組み合わせの指針となる情報をユーザに提示することができる。
【００９６】
さらに、本発明の一実施の形態では、表示制御部１１ｇが、最初に推奨度が高い特殊効果のアイコンを表示部７に表示させるので、ユーザは特殊効果の選択操作によって被写体のシャッタチャンスを逃すことなく、設定した撮影モードで生成される画像データに対して特殊効果を施した特殊効果画像を得ることができる。
【００９７】
さらにまた、本発明の一実施の形態では、推奨度変更部１１ｅが使用履歴情報記憶部９ｄによって記憶された使用履歴情報に基づいて、推奨度情報記憶部９ｃが記憶する推奨度情報テーブルＴ１に含まれる前記特殊効果と前記撮影モードとの組み合わせの中で使用回数が所定回数を超える組み合わせの推奨度を変更する。これにより、撮像装置１は、ユーザによる使用状況を加味した特殊効果と撮影モードとの組み合わせの指針となる情報をユーザに提示することができる。
【００９８】
なお、本発明の一実施の形態では、制御部１１が、表示部７によって画像上に表示される各種アイコンがタッチされた際にタッチパネル８が入力を受け付けた信号によってユーザが所望するアイコンを選択して決定していたが、操作スイッチ６ｄから入力される指示信号に応じてユーザが所望するアイコンを選択して決定してもよい。これにより、ユーザは、操作スイッチ６ｄを操作することで表示部７が表示する撮影モードに関する情報および特殊効果に関する情報を選択して決定することができる。
【００９９】
また、本発明の一実施の形態では、表示制御部１１ｇが推奨度情報記憶部９ｃによって記憶された推奨度情報テーブルＴ１を参照して、撮影モード設定部１１ｂが設定した撮影モードで生成された画像データに対して特殊効果の組み合わせの推奨度が高い順に特殊効果アイコンの色および／または大きさを変えて表示部７に表示させてもよい。これにより、ユーザは、撮影モードと特殊効果との組み合わせの選択の指針となる情報を直感的に確認することができる。
【０１００】
また、本実施の一実施の形態では、表示制御部１１ｇは、特殊効果アイコンを２つのみ表示部７に表示させていたが、たとえば同じ推奨度の特殊効果に対応する特殊効果アイコンを表示部７に表示させるようにしてもよい。この場合、表示制御部１１ｇは、各特殊効果アイコンをそれぞれ縮小して縦一例または横一列に並べて表示するようにしてもよい。
【０１０１】
また、本発明の一実施の形態では、メニュースイッチ６ｅから操作メニューの表示を指示する指示信号が入力された場合、表示制御部１１ｇが推奨度情報記憶部９ｃによって記憶された推奨度情報テーブルＴ１を参照して、撮影モード設定部１１ｂが設定した撮影モードで生成された画像に対して特殊効果の組み合わせの推奨度が高い順に特殊効果を縦一列に並べて表示してもよい。具体的には、図１５に示すように、表示制御部１１ｇは、ユーザが操作スイッチ６ｄを操作することにより、操作スイッチ６ｄから特殊効果メニューＭ１の選択を指示する指示信号が入力された場合、特殊効果メニューの一覧を表示部７に表示させてもよい。この際、ユーザによって操作スイッチ６ｄが操作されて初期化Ｍ２が選択された場合、初期化部１１ｆが推奨度変更部１１ｅによって変更された推奨度情報テーブルＴ１の推奨度を初期化する。これにより、撮像装置１は、メーカが出荷時に設定された推奨度情報テーブルＴ１に戻ることができる。
【０１０２】
また、本発明の一実施の形態では、ユーザによってメニュースイッチ６ｅから推奨度情報記憶部９ｃが記憶する推奨度情報テーブルＴ１の表示を指示する指示信号が入力された場合、表示制御部１１ｇが推奨度情報テーブルＴ１を表示部７に表示させてもよい。具体的には、図１６に示すように、表示制御部１１ｇは、推奨度情報テーブルＴ１を表示部７に表示させてもよい。この際、ユーザは、操作スイッチ６ｄを操作することにより、推奨度情報テーブルＴ１に記載された推奨度を変更してもよい。これにより、ユーザは、撮影モードと特殊効果との組み合わせの指針となる推奨度を視認しながら変更することができる。
【０１０３】
また、上述した表示部７が表示する推奨度情報テーブルの表示方法において、別の表示方法も可能である。図１７に示すように、表示制御部１１ｇは、推奨度情報テーブルＴ２を表示部７に表示させるとともに、推奨度情報テーブルＴ２に記載された推奨度に対応する色で表示部７に表示させてもよい。これにより、ユーザは、撮影モードと特殊効果との組み合わせの指針となる推奨度を直感的に視認することができる。なお、図１７では、色を模様で表現している。さらに、表示制御部１１ｇは、推奨度を色で表す場合、推奨度が高い順番に目立つ色、たとえば赤→緑→黒等の順番で表示部７に表示させてもよい。さらに、表示制御部１１ｇは、推奨度を模様で表示部７に表示させてもよい。
【０１０４】
また、上述した表示部７が表示する推奨度情報テーブルの表示方法において、別の表示方法も可能である。図１８に示すように、表示制御部１１ｇは、推奨度情報テーブルＴ３を表示部７に表示させるとともに、推奨度情報テーブルＴ３に記載された推奨度を棒グラフに変更して表示部７に表示させてもよい。さらに、表示制御部１１ｇは、ユーザの使用回数に応じて、棒グラフの長さを変化させてもよい。さらにまた、表示制御部１１ｇは、棒グラフにユーザの使用回数を併記させて表示部７に表示させてもよい。これにより、ユーザは、撮影モードと特殊効果との組み合わせの指針となる推奨度を直感的に視認することができる。
【０１０５】
また、本発明の一実施の形態では、推奨度情報記憶部９ｃは、複数の推奨度情報テーブルを記憶していてもよい。たとえば、図１９に示すように、推奨度情報記憶部９ｃは、推奨度情報テーブルＴ４を記憶していてもよい。推奨度情報テーブルＴ４には、推奨度情報テーブルＴ１と異なる各特殊効果が記載されている。具体的には、各特殊効果として、シェーディング、クロス、枠、ノイズ、フレア、ボケ、ホワイトアウト、照明およびシャボン玉が記載されている。ここで、図１９に示した各特殊効果について説明する。シェーディングは、画像の端部周辺を黒くする効果である。クロスは、画像に星型のアイコンを付加する効果である。枠は、画像に枠を付加する効果である。ノイズは、画像全体にノイズを付加する効果である。フレアは、画像に斜線を付加する効果である。ボケは、画像全体に対してぼかす効果である。ホワイトアウトは、画像の端部周辺を白くする効果である。照明は、画像全体にカラーフィルタを施した効果である。シャボン玉は、画像にシャボン玉のアイコンを付加する効果である。シャボン玉は、ズーム変倍が異なる複数のズーム光学系および撮像素子２ｇが組み込まれた撮像装置では、ズーム変倍率に応じてシャボン玉の大きさを変更させる画像処理、あるいは姿勢検出部３の検出結果に応じて枠を水平方向に合わせる画像処理を行ってもよい。さらにまた、特殊効果の種類は、推奨度情報テーブルＴ１，Ｔ４の内容に限定されず、たとえば、アート、ボール、カラーマスク、キューブ、ミラー、モザイク、セピア、白黒、ウェーブ、ボール枠および風船エフェクト等を追加することも可能である。また、表示部７が推奨度情報テーブルＴ１を表示しているときに、撮像スイッチ６ｄから別の推奨度情報テーブルの切り換えを指示する指示信号が入力された場合、表示制御部１１ｇは、推奨度情報テーブルＴ４を表示部７に表示させてもよい。
【０１０６】
（その他の実施の形態）
また、本発明の一実施の形態では、表示部７が推奨度情報テーブルＴ１を表示しているときに、ユーザがタッチパネル８にタッチした場合において、表示制御部１１ｇは、タッチされた領域付近の推奨度情報テーブルＴ１を拡大して表示部７に表示させてもよい。
【０１０７】
図２０は、ユーザによってタッチパネル８がタッチされた領域付近の拡大表示を説明する図である。図２０に示すように、表示部７が表示している推奨度情報テーブルＴ１上の領域Ｒ１がタッチされた場合（図２０（ａ））、表示制御部１１ｇは、タッチされた領域Ｒ１付近の推奨度情報テーブルＴ１を拡大して表示部７に表示させる（図２０（ｂ））。さらに、表示制御部１１ｇは、各特殊効果に対して補助的な視覚効果を生じさせることが可能な特殊効果に関するアイコンを表示する。具体的には、図２０（ｂ）に示すように、撮像モードが「人物」で特殊効果が「ポップアート」の場合、補助的な視覚効果を生じさせることが可能な特殊効果として「シェーディング」、「クロス」および「ボケ」をアイコンとして表示させる。
【０１０８】
その後、ユーザは、所望のアイコンを選択してタッチすることにより（図２０（ｃ））、タッチしたアイコンに対応する特殊効果を追加する設定を行うことができる。さらに、表示制御部１１ｇは、特殊効果と、この特殊効果に対して補助的な視覚効果を生じさせることが可能な特殊効果との組み合わせに応じてアイコンの色を付加して表示してもよい。さらにまた、表示制御部１１ｇは、推奨度を色で表す場合、推奨度が高い順番に目立つ色、たとえば赤→緑→黒等の順番で表示部７に表示させてもよい。また、表示制御部１１ｇは、特殊効果に対して補助的な視覚効果を生じさせることが可能な特殊効果のみアイコンとして表示部７に表示させてもよい。なお、図２０では、色を模様で表現している。
【０１０９】
また、本発明の一実施の形態では、通信部１０を介してパーソナルコンピュータやサーバ等の外部処理装置に接続することによって、推奨度変更部１１ｅが通信部１０を介して受信した情報に基づいて推奨度情報記憶部９ｃが記憶する推奨度情報テーブルＴ１の更新または書き換えを行ってもよい。これにより、表示制御部１１ｇは、新たに追加された特殊効果や撮影モードの組み合わせを加味した推奨度で特殊効果アイコンを表示することができる。さらに、記憶部９に装着可能な記憶媒体、たとえばメモリカード等に新たに追加された特殊効果や撮影モードの組み合わせの推奨度を記憶させ、制御部１１が記憶媒体から新たに追加された特殊効果や撮影モードの組み合わせの推奨度を取得し、推奨度変更部１１ｅが推奨度情報記憶部９ｃに記憶させることで推奨度情報テーブルの更新または書き換えを行ってもよい。
【０１１０】
また、本発明の一実施の形態では、姿勢検出部３は、撮像装置１の姿勢状態を検出していたが、たとえば、ユーザが表示部７の表示画面をタップした際に生じる加速度を検出することにより、撮像装置１の各種撮影モードまたは各種設定を切換えるタッチ操作の操作信号を受け付け、この操作信号を制御部１１に出力するようにしてもよい。
【０１１１】
また、本発明の一実施の形態では、ユーザによって切換アイコンＱ３３，Ｑ３４がタッチされた場合に、表示制御部１１ｇが特殊効果アイコンを切換えていたが、たとえばユーザが表示部７の画像上に表示される特殊効果アイコンの領域上でタッチパネル８にタッチした軌跡に応じて表示制御部１１ｇが特殊効果アイコンに切換えてもよい。
【０１１２】
また、本発明の一実施の形態では、撮像装置１をデジタルカメラとして説明していたが、たとえば一眼デジタルスチールカメラ、デジタルビデオカメラ、カメラ付き携帯電話等の撮影機能を備えた各種電子機器に適用することができる。
【符号の説明】
【０１１３】
１            撮像装置
２            撮像部
２ａ          レンズ部
２ｂ          レンズ駆動機構
２ｃ          絞り
２ｄ          絞り駆動機構
２ｅ          シャッタ
２ｆ          シャッタ駆動機構
２ｇ          撮像素子
２ｈ          信号処理部
３            姿勢検出部
４            発光部
５            時計
６            操作入力部
６ａ          電源スイッチ
６ｂ          レリーズスイッチ
６ｃ          モード切換スイッチ
６ｅ          メニュースイッチ
６ｆ          ズームスイッチ
７            表示部
８            タッチパネル
９            記憶部
９ａ          画像データ記憶部
９ｂ          プログラム記憶部
９ｃ          推奨度情報記憶部
９ｄ          使用履歴情報記憶部
１０          通信部
１１          制御部
１１ａ        画像処理部
１１ｂ        撮影モード設定部
１１ｃ        特殊効果画像生成部
１１ｄ        使用履歴更新部
１１ｅ        推奨度変更部
１１ｆ        初期化部
１１ｇ        表示制御部
Ｔ１          推奨度情報テーブル
【図１】
0005592778.tif 000002
【図２】
0005592778.tif 000003
【図３】
0005592778.tif 000004
【図４】
0005592778.tif 000005
【図５】
0005592778.tif 000006
【図６】
0005592778.tif 000007
【図７】
0005592778.tif 000008
【図８】
0005592778.tif 000009
【図９】
0005592778.tif 000010
【図１０】
0005592778.tif 000011
【図１１】
0005592778.tif 000012
【図１２】
0005592778.tif 000013
【図１３】
0005592778.tif 000014
【図１４】
0005592778.tif 000015
【図１５】
0005592778.tif 000016
【図１６】
0005592778.tif 000017
【図１７】
0005592778.tif 000018
【図１８】
0005592778.tif 000019
【図１９】
0005592778.tif 000020
【図２０】
0005592778.tif 000021